(57)【要約】  本発明は、加熱時間間隔（ｄｔ）中に、歯科用炉（２）内で加熱される、少なくとも１つの較正要素（６）による、歯科用炉（２）の温度測定器（１）を較正するための方法であって、少なくとも１つの較正要素（６）は、第１転移温度（ＴＣ１）で生じる可逆的相転移を有する少なくとも１つの測定材料（７）を有し、相転移は、歯科用炉（２）の少なくとも１つの第１パラメータ（Ｉ）の急変化を生じ、炉室（３）内の温度は、温度測定器（１）により実温度（Ｔ）として測定され、パラメータ（Ｉ）は測定され、第１パラメータ（Ｉ）の少なくとも１つの第１急変化（ｄｌ１）が識別され、第１実温度値（Ｔ１）の偏差は、第１パラメータ（Ｉ）の第１急変化（ｄｌ１）が生じる時に、温度測定器（１）で測定され、第１転移温度（ＴＣ１）から決定されて、温度測定器（１）の実温度（Ｔ）は、偏差にしたがって補正される、方法に関する。【選択図】図２
2019513988.tif 000002
【特許請求の範囲】
【請求項１】
少なくとも１つの較正要素（６）による、歯科用炉（２）の温度測定器（１）を較正するための方法であって、
−加熱時間間隔（ｄｔ）中、前記少なくとも１つの較正要素（６）は、前記歯科用炉（２）内で、開始温度（ＴＡ）から終了温度（ＴＥ）まで加熱され、
−前記加熱時間間隔（ｄｔ）中、前記歯科用炉（３）内の温度は、前記温度測定器（１）により、実温度（Ｔ）として測定され、
−前記少なくとも１つの較正要素（６）は、少なくとも１つの測定材料（７）を有し、
−前記測定材料は、第１転移温度（ＴＣ１）で生じる可逆的相転移を有し、
−前記第１転移温度（ＴＣ１）は、前記開始温度（ＴＡ）より高く、前記終了温度（ＴＥ）より低く、
−前記相転移は、前記歯科用炉（２）の少なくとも１つの第１パラメータ（Ｉ）の急変化を生じ、
−前記歯科用炉（２）の前記第１パラメータ（Ｉ）は、前記加熱時間間隔（ｄｔ）にわたって測定され、前記第１パラメータ（Ｉ）の少なくとも１つの第１急変化（ｄＩ１）は、前記加熱時間間隔（ｄｔ）中に識別され、
−前記第１実温度値（Ｔ１）の偏差は、前記第１パラメータ（Ｉ）の前記第１急変化（ｄｌ１）が生じる時に、前記温度測定器（１）により測定され、前記第１転移温度（ＴＣ１）が決定されて、前記温度測定器（１）の前記実温度（Ｔ）は、偏差にしたがって補正されることを特徴とする、方法。
【請求項２】
前記少なくとも１つの較正要素は、少なくとも１つの第１測定材料（７）と第２測定材料（８）を備え、又は第１測定材料（７）を備える少なくとも１つの第１較正要素と第２測定材料（８）を備える第２較正要素は、前記歯科用炉（２）内で同時に加熱され、
−前記第１測定材料（７）は、第１転移温度（ＴＣ１）を有し、前記第２測定材料（８）は、前記第１転移温度（ＴＣ１）と異なる第２転移温度（ＴＣ２）を有し、
−前記第１パラメータ（Ｉ）の急変化（ｄＩ１、ｄＩ２）は、各測定材料（７、８）に対して、前記加熱時間間隔（ｄｔ）中に識別され、前記各測定材料（７、８）の前記各転移温度（ＴＣ１、ＴＣ２）から前記第１パラメータ（Ｉ）の前記各急変化（ｄＩ１、ｄＩ２）で前記温度測定器（１）により測定される前記実温度値（Ｔ１、Ｔ２）の偏差は、各々決定され、
−前記偏差間の補正値（Ｋ）及び／又は線形補正は、異なる測定材料（７、８）を対象に識別される偏差を基に形成され、前記温度測定器（１）の前記実温度（Ｔ）は、前記補正値（Ｋ）及び／又は前記線形補正により補正されることを特徴とする、請求項１に記載の方法。
【請求項３】
前記較正要素は、前記歯科用炉により誘導式に加熱されることを特徴とする、請求項１又は２に記載の方法。
【請求項４】
少なくとも１つの測定材料（７、８）は、強磁性又はフェリ磁性であって、前記転移温度（ＴＣ１、ＴＣ２）は、前記測定材料（７、８）の前記キュリー温度に対応することを特徴とする、請求項１乃至３のいずれか一項に記載の方法。
【請求項５】
少なくとも１つの測定材料（７、８）は、前記温度の関数として伝導性の急変化を示すことを特徴とする、請求項１乃至４のいずれか一項に記載の方法。
【請求項６】
前記パラメータ（Ｉ）は、電流又は電圧の振幅、あるいは交流又は交流電圧の周波数であることを特徴とする、請求項１乃至５のいずれか一項に記載の方法。
【請求項７】
歯科用炉の温度測定器を較正するための較正要素であって、前記較正要素（６）は、少なくとも１つの第１測定材料（７）を備え、前記測定材料は、第１転移温度（ＴＣ１）で生じる可逆的相転移を有することを特徴とする、較正要素。
【請求項８】
前記較正要素は、少なくとも２つの測定材料（７、８）を備え、前記測定材料（７、８）は、異なる転移温度（ＴＣ１、ＴＣ２）を各々有することを特徴とする、請求項７に記載の較正要素。
【請求項９】
前記少なくとも２つの測定材料（７、８）は、互いが上下に積み重なるよう配置されることを特徴とする、請求項８に記載の較正要素。
【請求項１０】
少なくとも１つの測定材料は、強磁性又はフェリ磁性であって、前記少なくとも１つの測定材料（ＴＣ１、ＴＣ２）の前記転移温度（ＴＣ１、ＴＣ２）は、前記キュリー温度に対応することを特徴とする、請求項７乃至９のいずれか一項に記載の較正要素。
【請求項１１】
少なくとも１つの測定材料（７、８）は、前記転移温度（ＴＣ１、ＴＣ２）に達した時、伝導性の急変化を示すことを特徴とする、請求項７乃至１０のいずれか一項に記載の較正要素。
【発明の詳細な説明】
【技術分野】
【０００１】
本発明は、少なくとも１つの較正要素による、歯科用炉の温度測定器を較正するための方法であって、少なくとも１つの較正要素は、歯科用炉内で、開始温度から終了温度までの加熱時間間隔中に加熱され、歯科用炉内の温度は、温度測定器により、加熱時間間隔中に実温度として測定される、方法に関する。
【背景技術】
【０００２】
誘導高温炉は近年、歯科修復作業での焼結、ツヤ出し及び乾燥工程で使用されはじめている。誘導炉は、抵抗加熱炉と比較すると、速度に関して利点を有する。
【０００３】
工程中、温度を正確に制御するのは、特にツヤ出しで重要であるが、その理由は、温度偏差がわずかであっても、結果生じる結晶作用に不具合が起こり、場合によっては、強度の減少、又は外形の融解を生じるためである。
【０００４】
監視の目的として、炉内での工程中は、したがって、温度を、例えば熱電対等の温度測定器により測定する。しかし、特に老朽化の過程の結果、表示温度と炉内雰囲気の実温度との間に偏差（ドリフト（ずれ）ともいう）も生じ得るため、温度測定器を定期的に較正しなければならない。
【０００５】
較正にあたり、較正要素は、炉の炉室内に配置し加熱するのが典型である。例えば、温度−収縮比が確定した焼結リングが使用可能である。例えば銀等の融点が確定した材料を利用することも公知であり、該材料からなる較正要素を炉に導入することにより、炉を可能な限り正確に材料の融解温度まで加熱し、その後較正要素の状態をチェックする。
【０００６】
別の公知のバリアントに、アルミニウムがある。融点に達しても形状は維持されるものの、７％の体積膨張を示す特性を利用する。較正要素として、例えばアルミ線からなる接触ブリッジ等を有するものが利用可能であり、接触ブリッジは、アルミ線の体積膨張により融点に達する時にだけ閉じる；その結果、炉内が融解温度に達したかを正確に判定可能である。
【０００７】
本発明の課題は、先行技術をさらに発展させ、可能な限り正確に、信頼性があり費用対効果が高い歯科用炉の温度測定器を較正するための方法と、それに対応する、信頼性があり費用対効果が高い較正要素を提供することである。
【発明の概要】
【０００８】
本発明の１つの主題は、少なくとも１つの較正要素による、歯科用炉の温度測定器を較正するための方法であって、少なくとも１つの較正要素は、歯科用炉内で、加熱時間間隔中に開始温度から終了温度まで加熱され、歯科用炉内の温度は、温度測定器により、加熱時間間隔中に実温度として測定される、方法である。少なくとも１つの較正要素は、第１転移温度で生じる可逆的相転移を有する少なくとも１つの測定材料を有し、第１転移温度は、開始温度より高く、終了温度より低く、相転移は、歯科用炉の少なくとも１つの第１パラメータの急変化を生じる。歯科用炉の第１パラメータは、加熱時間間隔中に測定され、第１パラメータの少なくとも１つの第１急変化は、加熱時間間隔中に識別され、第１実温度値の偏差は、第１パラメータの第１急変化が生じる時に温度測定器で測定され、第１転移温度から決定されて、温度測定器の実温度は、偏差にしたがって補正される。
【０００９】
歯科用炉のパラメータに影響する温度依存性可逆的相転移を有するいかなる材料も、測定材料として使用に適する。相転移は、例えば浸透性又は伝導性における急変化などの材料特性の急変化を指す。転移温度は、相転移すなわち特性の変化が生じる、測定材料の材料特有の温度を指す。
【００１０】
測定材料は、例えば材料特有のキュリー温度である転移温度に達した時、その強磁特性を喪失する、強磁性体でもよい。キュリー温度を超えると、材料は浸透性がゼロになるか、又は常磁特性のみを有する。これは、強磁性体の常磁性高温形態への可逆的相転移、又は材料特性の急変化である。
【００１１】
第１転移温度に達した時、歯科用炉に設置される較正要素の相転移、又は特性の変化が、歯科用炉の第１パラメータにおける急変化をもたらす。パラメータ又はパラメータの急変化を識別することで、歯科用炉内の温度は推定可能である。較正要素の転移温度を正確に把握するほど、較正をより正確に行うことが可能である。例えば、転移温度は、材料の一定の既知特性であり得る。特定の転移温度はさらに、個々の較正要素について、まずは高精度で決定可能であり；その後、この転移温度は、本較正要素を用いる較正に使用可能であり、その結果、較正の精度が適宜向上する。
【００１２】
パラメータは、測定材料の相転移に影響される歯科用炉の測定可能変数であり、例えば、電流、電圧又は周波数等があり得る。例えば、誘導式に作動する歯科用炉の誘導コイルの交流抵抗は、パラメータとして使用可能で、フェライトからなる較正要素の浸透性の消失等により、誘導コイルの自己インダクタンスが急減し、それによって交流抵抗も急減する。
【００１３】
例えば、上記記載の設計例に係る交流抵抗の減少は、歯科用炉内で転移温度に達した時に急減する、誘導コイルに対し測定される、誘導コイルを流れる電流又は電流−時間プロファイルを基に、判定可能である。
【００１４】
急増又は急変化の大きさは、較正要素の測定材料の種類及び量に依存する。例えば、誘導炉内にフェライト製円筒体（重さ１８．５ｇ、外径１６ｍｍ、内径１０ｍｍ、高さ２８ｍｍ）を設置すると、約２．５Ａの電流変化を生じることが可能な一方、電流が通常発生する変動は、０．５Ａ〜１Ａ程度にすぎないのが典型であり；したがって、較正要素の相転移により生じる電流変化は、他の変動と明確に区別可能である。
【００１５】
較正要素が、加熱時間間隔が開始してようやく歯科用炉に導入される場合、この導入により、パラメータの急変化も生じる。しかしこの現象は、時間及び記号を基に、測定材料の相転移で生じ較正のために識別される急増と区別可能である。例えば、強磁性の較正要素を導入する時、特定の時間での誘導炉の電流−時間プロファイルは、導入較正要素の浸透性で生じる急増を示す。
【００１６】
燃焼炉内の温度は、少なくとも１つの測定材料の転移温度以上となる、終了温度まで、最低限上昇する。温度測定器により確定される実温度は、少なくとも相転移の領域において記録される。
【００１７】
相転移の特定の時間で、温度測定器が表示する実温度（測定第１実温度値）と較正要素の第１測定材料の第１転移温度との間に偏差がある場合、温度測定器の温度表示は、偏差により補正する。例えば、温度測定器の実温度値に偏差を加えて、オフセットすることが可能である。
【００１８】
歯科用炉の複数のパラメータは、歯科用炉の稼働状況を監視するためにすでに測定されるので、測定器を追加する必要はなく及び／又は既存の測定手法を使用することで、本発明に係る方法が実施可能である。
【００１９】
例えば、誘導炉の加熱回路を流れる全電流は、電力計算のため頻繁に監視する。監視にあたっては、直流を発振器により交流に変換し誘導コイルに流した上で、電源装置で直接監視するのが典型である。したがって、較正方法のための電流監視の追加手段は不要である。電流に関する他の任意の変数は、較正要素の相転移が生じる急変化又は相転移の特定の時間を識別する上で、同様に監視可能である。本発明にしたがって、相転移で温度測定器が測定する第１実温度値を測定可能にするには、相転移を何らかの手段で識別することのみ必要である。
【００２０】
本発明に係る方法は、測定材料の相転移の可逆性を利用して、同一の較正要素を用いて繰り返し実行可能か、又は該較正要素は繰り返し使用が可能である。
【００２１】
加熱中に相転移の転移温度に正確に達し、加熱中に炉内温度を均一に保持できるようにするため、炉内温度を、特に転移温度近傍で遅い速度に限って、上昇させることが利点である。較正工程を促進するため、転移温度からさらに離れた温度範囲で、より迅速に加熱するようにしてもよい。
【００２２】
焼結要素の位置に対応する（例：位置決めテンプレートを使用して）炉内の較正要素の位置が正確であるほど、炉内の実焼結温度への較正がより正確になる。
【００２３】
本発明に係る方法の１つの特別な利点は、この方法が完全自動で作動できる点である。該方法はさらに、特に簡便でかつ費用対効果が高い方法、特に接触不要な方法で使用及び再使用が可能な、製作が容易な較正要素を使うことにより、実行可能であり、また、歯科用炉の第１パラメータの監視及び測定するための装置がすでに設置されているため、計測器を追加する必要がない。
【００２４】
少なくとも１つの較正要素は、少なくとも１つの第１測定材料と１つの第２測定材料を有利に備え、又は第１測定材料を備える少なくとも１つの第１較正要素と第２測定材料を備える１つの第２較正要素は、歯科用炉内で同時に加熱される。第１測定材料は、第１転移温度を有し、第２測定材料は第１転移温度と異なる第２転移温度を有する。測定材料各々において、加熱時間間隔中の第１パラメータの急変化は識別され、第１実温度値の偏差は、第１パラメータの第１急変化が生じる時に温度測定器により測定され、各測定材料の第１転移温度からそれぞれ決定される。偏差間の補正値及び／又は線形補正は、異なる測定材料を対象に識別される偏差を基に形成され、温度測定器の実温度は、補正値及び／又は線形補正により補正される。
【００２５】
多点較正は、異なる測定材料を使用して、較正工程に要する時間が大幅に増加することなく、簡便な方法で較正工程の精度を向上させる。較正要素が備える、転移温度が異なる測定材料の数が多いほど、又は転移温度が異なる各測定材料を伴う較正要素が多いほど、より多くの温度偏差が加熱時間間隔内で識別が可能で、温度測定器の較正に考慮可能である。これに伴い、特に複数の測定材料を備える較正要素の材料及び生産関連コスト、又は複数の較正要素を使用する場合の工程関連コストは、わずかな程度増加する。例えば、数値の平均をとって補正値を算出、又は線形補正を行うことができる。
【００２６】
較正要素は、歯科用炉により、有利に誘導式で加熱される。このように、歯科用炉の誘導特性に影響する材料は、測定材料として使用可能で、又は歯科用炉の誘導特性への影響は、例えば誘導電流又は誘導炉への電圧の変化を基に、容易に表示可能である。
【００２７】
少なくとも１つの測定材料は、有利に強磁性又はフェリ磁性であって、転移温度は、測定材料のキュリー温度に対応する。強磁性体のキュリー温度には許容範囲（１００℃未満の約＋／−５ケルビンかつ１００℃を超える＋／−７．５ケルビン）が典型的にある中、キュリー温度は、正確な温度決定又は＋／−２０ケルビン等の目標精度較正には特に適する。特定なキュリー温度はさらに、各較正要素において、まずは高精度で決定可能であり；その後、本較正要素で較正に使用可能で、その結果、較正精度はそれにしたがって向上する。
【００２８】
少なくとも１つの測定材料は、伝導性の急変化を温度関数として有利に示す。伝導性も材料特性を表し、例えばそれが急変化すると、誘導炉の自己インダクタンスが影響を受ける。
【００２９】
パラメータは、有利に、電流又は電圧の振幅、又は交流又は交流電圧の周波数である。これらの値は、歯科用炉の測定が容易な特性を示し、これらもまた、炉の稼働状況を監視するため頻繁に測定する。
【００３０】
本発明はさらに、少なくとも１つの第１測定材料を備える、歯科用炉の温度測定器を較正するための較正要素に関し、測定材料は、第１転移温度で生じる可逆的相転移を有する。
【００３１】
測定材料の相転移は、材料特性に急変化を生じ、歯科用炉のパラメータに影響し得る。例えば、強磁性体で浸透性が消失すると、材料固有のキュリー温度に達した時に加熱に使用する誘導コイルの負荷が急増する。相転移の可逆性及び臨界温度依存により、本発明に係る測定材料からなる較正要素は、歯科用炉の較正に適する。較正要素は、少なくとも１つの測定材料を備える点以外の要件を満たす必要がないため、費用対効果が高く簡便な方法で製作可能である。
【００３２】
周知の事実として、較正要素は加熱工程でガス放出のない耐熱材料からなる。さらに、本発明に係る方法を説明するすべての記載事項は、較正要素の測定材料及びその特性に適用が可能である。
【００３３】
較正要素は、少なくとも２つの測定材料を有利に備え、測定材料は各々、転移温度が異なる。そのような較正要素を用いると、多点較正を行うことが可能であり、その結果、較正をより高精度に行うことができる。
【００３４】
少なくとも２つの測定材料は、互いが上下に積み重なるよう有利に配置される。周知の事実として、２つの測定材料を所望であればいかなる配置も可能である。積み重ね式の配置は、特に簡便な配置を示し、製作が特に容易である。この積み重ね式の配置は、単に層構造を指し、どのように前記の積み重ねが歯科用炉内で配置されるかを制限する意図はない。歯科用炉内に位置し、特に互いに隣り合うよう配置する測定材料を有する較正要素は、積み重ね式配置を表し、較正要素は片側に水平方向に配置される。
【００３５】
少なくとも１つの測定材料は、有利に強磁性又はフェリ磁性であって、少なくとも１つの測定材料の転移温度は、キュリー温度に対応し、又は少なくとも１つの測定材料は、転移温度に達した時、伝導性の急変化を示す。
【００３６】
本発明の設計例について図面に示す。
【図面の簡単な説明】
【００３７】
【図１】本発明に係る歯科用炉の温度測定器を較正するための構成を示す概略図である、
【図２】本発明に係る較正間の、電流−時間プロファイル及び温度−時間プロファイルを示す略図である、
【図３】本発明に係る較正方法のシーケンス図である。
【発明を実施するための形態】
【００３８】
図１は、歯科用炉２の温度測定器１を較正するための構成を示す。温度測定器１は、歯科用炉２の炉室３内に少なくとも部分的に設置される。炉室３を加熱するために、設計例で記載される歯科用炉２は、電流源／電圧源５により作動される、少なくとも１つの誘導コイル４を備える。
【００３９】
較正要素６は、炉室３内に設置され、誘導コイル４により加熱され、炉室内の実温度は、温度測定器１により測定され較正を行う。
【００４０】
記載の設計例では、較正要素６は、第１及び第２測定材料７、８を備え、２つの測定材料７、８は、互いが上下に積み重なるよう配置される。第１測定材料７は強磁性であって、第１転移温度ＴＣ１として、第１測定材料７が常磁性高温状態に変移するキュリー温度を有する。第２材料８は、同様に強磁性で、第２転移温度ＴＣ２として、第２測定材料が常磁性高温状態に変移するキュリー温度を有し、第２転移温度ＴＣ２は、第１転移温度ＴＣ１より高い。
【００４１】
測定材料７、８の相転移により、例えば、電流消費を読みとることで識別可能な歯科用炉２の各負荷が急増する。本明細書記載の設計例では、第１パラメータＩは、相転移により影響され、したがって、誘導コイルを流れる電流となる。
【００４２】
図２のグラフは、誘導コイル４を流れる電流Ｉと、歯科用炉２内の較正要素６の加熱中に時間ｔの関数として、温度測定器１により測定される実温度Ｔの進行曲線を示す。時間ｔ＝０の点で電流源／電圧源５にスイッチが入り、誘導コイル４での電流降下ＩがＩ＝Ｉ１の値まで増加した後、記載設計例の実温度Ｔは、時間ｔ上で線形増加する。
【００４３】
電流Ｉは、時間ｔ＝ｔ１の点まで、比較的一定な値Ｉ＝Ｉ１をとる。時間ｔ＝ｔ１の点で、記載設計例の電流消費ＩはｄＩ１減少し、Ｉ２＝Ｉ１−ｄＩ１の値をとる。時間ｔ＝ｔ１の点以降の時間ｔでは、電流Ｉは、時間ｔ＝ｔ２の点まで一定値Ｉ２をとり、ｔ２はｔ１より大きい値である。時間ｔ＝ｔ２の点で、誘導コイル４を流れる電流ＩはｄＩ２減少し、Ｉ３＝Ｉ２−ｄＩ２の値をとる。
【００４４】
時間ｔ＝ｔ１の点で電流プロファイルＩの第１急増ｄＩ１は、較正要素６の第１強磁性体７の相転移を示し、したがって、炉室３内で第１転移温度ＴＣ１の到達を示す一方、時間ｔ＝ｔ２の点での電流プロファイルＩの第２急増ｄＩ２は、第２強磁性体８の相転移、すなわち炉室３内の第２転移温度ＴＣ２の到達を識別する。したがって、時間ｔ１及びｔ２の点は、第１及び第２急増を基に、電流−時間プロファイルから容易に推定可能である。記載設計例では、温度測定器１により測定される各相転移に対する実温度測定値Ｔ１及びＴ２は、それに対応して、時間ｔ１及びｔ２の点の温度−時間プロファイルから推定可能である。
【００４５】
図３は、第１実施形態に係る方法の工程の概略を示す。第１工程Ｓ１で較正要素６を加熱した後、誘導コイル４を流れる電流Ｉの電流−時間プロファイルの第１及び第２急増又は該急増に対応する時間ｔ１及びｔ２の点、時間ｔ１の第１点で温度測定器１により測定される第１実温度値Ｔ１、時間ｔ２の第２点で温度測定器１により測定される第２実温度値Ｔ２は、第２工程Ｓ２で識別される。
【００４６】
第３工程Ｓ３では、第１転移温度ＴＣ１からの第１実温度値Ｔ１の第１偏差Ａ１と第２転移温度ＴＣ２からの第２実温度値Ｔ２の第２偏差Ａ２が決定される。
【００４７】
工程Ｓ４では、温度測定器１の実温度Ｔは、２つの偏差Ａ１、Ａ２により形成される補正値Ｋを使用、及び／又は温度範囲上で偏差Ａ１及びＡ２間の線形補正により、補正される。
【符号の説明】
【００４８】
１              温度測定器
２              歯科用炉
３              炉室
４              誘導コイル
５              電流源／電圧源
６              較正要素
７              第１測定材料
８              第２測定材料
ｄＩ１、ｄＩ２  パラメータの急変化
ｄｔ            加熱時間間隔
Ｉ              パラメータ
Ｓ１−Ｓ４      方法ステップ
Ｔ              実温度
Ｔ１、Ｔ２      第１及び第２実温度値
ＴＣ１、ＴＣ２  第１及び第２転移温度
ｔ              時間
【図１】
2019513988.tif 000003
【図２】
2019513988.tif 000004
【図３】
2019513988.tif 000005
【国際調査報告】
2019513988.tif 000006
2019513988.tif 000007
2019513988.tif 000008
2019513988.tif 000009